(57)【特許請求の範囲】
【請求項１】
アクセスポイント（ＡＰ）基地局の制限されたアクセス構成のための方法であって、前記制限されたアクセスは、選択されたグループのユーザのみにネットワークアクセスを与え、
前記ＡＰ基地局と関連するアクセス端末（ＡＴ）からのコンタクトリストを検索することと、ここにおいて、前記コンタクトリストは、ＡＴユーザの複数のセーブされたコンタクトに関する情報を具備する、
前記複数のセーブされたコンタクトのどれかがネットワークオペレータと関連されているかどうかを前記ネットワークオペレータと関連する前記複数のセーブされたコンタクトのための少なくとも１つの識別子に基づいて決定することと、および
前記複数のセーブされたコンタクトのうちで前記ネットワークオペレータと関連している部分を前記ＡＰ基地局と関連するネットワークの対応する加入者の加入者アイデンティティに変換して、前記変換された識別子に基づいて前記ＡＰ基地局への制限されたアクセスを構成することと、ここにおいて、前記加入者アイデンティティは前記ＡＰ基地局と他のエンティティーとの間に安全な通信を提供するために一時的に生成される識別子を少なくとも含む
を具備する方法。
【請求項２】
前記ＡＴまたは前記ＡＴユーザに関して取得した情報に基づいて前記ＡＰ基地局の所有権を確認することをさらに具備する請求項１に記載の方法。
【請求項３】
前記の取得した情報は、前記ＡＰ基地局と関連するパスワードを前記ＡＴまたは前記ＡＴユーザから受信することを具備する、請求項２に記載の方法。
【請求項４】
前記ＡＰ基地局は、前記ネットワークオペレータと関連されている、請求項１に記載の方法。
【請求項５】
前記決定することは、前記ネットワークオペレータと関連する前記複数のセーブされたコンタクトのための少なくとも１つの識別子を検索することを具備する、請求項１に記載の方法。
【請求項６】
前記少なくとも１つの識別子を検索することは、前記コンタクトリストから前記少なくとも１つの識別子を検索することを具備する、請求項５に記載の方法。
【請求項７】
前記少なくとも１つの識別子を検索することは、前記ネットワークオペレータのレジストリから前記少なくとも１つの識別子を検索することを具備する、請求項５に記載の方法。
【請求項８】
前記レジストリから前記少なくとも１つの識別子を検索することは、前記ネットワークオペレータのホームロケーションレジスタ（ＨＬＲ）にアクセスすることを具備する、請求項７に記載の方法。
【請求項９】
前記少なくとも１つの識別子と関連する前記複数のセーブされたコンタクトに少なくとも部分的に基づいて許可されたユーザリストを生成することをさらに具備する請求項５に記載の方法。
【請求項１０】
前記制限されたアクセスを構成するために前記許可されたユーザリストを利用することをさらに具備する請求項９に記載の方法。
【請求項１１】
ビジターＡＴが前記ＡＰ基地局のカバレッジエリアにエンターすることに応答して、前記ビジターＡＴのビジター識別子は、前記許可されたユーザリストの少なくとも１つのエントリーに一致するかどうかを決定することをさらに具備する請求項１０に記載の方法。
【請求項１２】
前記ビジター識別子が前記許可されたユーザリストの前記少なくとも１つのエントリーに一致することに応答して、前記ビジターＡＴは、前記ＡＰ基地局にアクセスするのを許可することをさらに具備する請求項１１に記載の方法。
【請求項１３】
アクセスポイント（ＡＰ）基地局の制限されたアクセス構成のためのワイヤレス通信デバイスであって、前記制限されたアクセスは、選択されたグループのユーザのみにネットワークアクセスを与え、
コンタクトリストを前記ＡＰ基地局と関連するアクセス端末（ＡＴ）から受信するのに適合されている受信機であって、前記コンタクトリストは、ＡＴユーザの複数のセーブされたコンタクトに関する情報を具備する、受信機と、
前記受信機と有効な通信状態にある少なくとも１つのプロセッサと、ここにおいて、前記少なくとも１つのプロセッサは、前記複数のセーブされたコンタクトのどれかがネットワークオペレータと関連されているかどうかを前記ネットワークオペレータと関連する前記複数のセーブされたコンタクトのための少なくとも１つの識別子に基づいて決定するように適合されていて、および
前記少なくとも１つのプロセッサと有効な通信状態にあり、前記少なくとも１つのプロセッサが、前記複数のセーブされたコンタクトのうちで前記ネットワークオペレータと関連している部分を前記ＡＰ基地局と関連するネットワークの対応する加入者の加入者アイデンティティに変換して、前記変換された識別子に基づいて前記ＡＰ基地局への制限されたアクセスを構成するための実行可能なコードを具備するメモリと、ここにおいて、前記加入者アイデンティティは前記ＡＰ基地局と他のエンティティーとの間に安全な通信を提供するために一時的に生成される識別子を少なくとも含む、
を具備するデバイス。
【請求項１４】
前記少なくとも１つのプロセッサは、前記ＡＴまたは前記ＡＴユーザに関して取得した情報に基づいて前記ＡＰ基地局の所有権を確認する、請求項１３に記載のデバイス。
【請求項１５】
前記の取得した情報は、前記ＡＰ基地局と関連するパスワードを前記ＡＴまたは前記ＡＴユーザから受信することを具備する、請求項１４に記載のデバイス。
【請求項１６】
前記ＡＰ基地局は、前記ネットワークオペレータと関連されている、請求項１３に記載のデバイス。
【請求項１７】
前記少なくとも１つのプロセッサは、前記ネットワークオペレータと関連する前記複数のセーブされたコンタクトのための少なくとも１つの識別子を検索するのに適合されている、請求項１３に記載のデバイス。
【請求項１８】
前記少なくとも１つのプロセッサは、前記少なくとも１つの識別子と関連する前記複数のセーブされたコンタクトを少なくとも含む許可されたユーザリストを生成するのに適合されている、請求項１７に記載のデバイス。
【請求項１９】
前記少なくとも１つのプロセッサは、前記ＡＰ基地局へのアクセスを制限するために前記許可されたユーザリストを利用するのに適合されている、請求項１８に記載のデバイス。
【請求項２０】
前記少なくとも１つのプロセッサは、ビジターＡＴが前記ＡＰ基地局のカバレッジエリアにエンターすることに応答して、前記ビジターＡＴのビジター識別子が前記許可されたユーザリストの少なくとも１つのエントリーに一致するかどうかを決定するのに適合されている、請求項１９に記載のデバイス。
【請求項２１】
前記少なくとも１つのプロセッサは、前記ビジター識別子が前記許可されたユーザリストの前記少なくとも１つのエントリーに一致することに応答して、前記ビジターＡＴが前記ＡＰ基地局にアクセスすることを許可するのに適合されている、請求項２０に記載のデバイス。
【請求項２２】
アクセスポイント（ＡＰ）基地局の制限されたアクセス構成のためのワイヤレス通信装置であって、前記制限されたアクセスは、選択されたグループのユーザのみにネットワークアクセスを与え、
コンタクトリストを前記ＡＰ基地局と関連するアクセス端末（ＡＴ）から検索するための手段であって、前記コンタクトリストは、ＡＴユーザのセーブされた複数のコンタクトに関する情報を具備する、手段と、
前記複数のセーブされたコンタクトのどれかがネットワークオペレータと関連されているかどうかを前記オペレータと関連する前記複数のセーブされたコンタクトのための少なくとも１つの識別子に基づいて決定する手段と、および
前記複数のセーブされたコンタクトのうちで前記ネットワークオペレータと関連している部分を前記ＡＰ基地局と関連するネットワークの対応する加入者の加入者アイデンティティに変換して、前記変換された識別子に基づいて前記ＡＰ基地局への制限されたアクセスを構成するための手段と、ここにおいて、前記加入者アイデンティティは前記ＡＰ基地局と他のエンティティーとの間に安全な通信を提供するために一時的に生成される識別子を少なくとも含む、
を具備する装置。
【請求項２３】
前記ＡＴまたは前記ＡＴユーザに関して取得した情報に基づいて前記ＡＰ基地局の所有権を確認するための手段をさらに具備する請求項２２に記載の装置。
【請求項２４】
前記の取得した情報は、前記ＡＰ基地局と関連するパスワードを前記ＡＴまたは前記ＡＴユーザから受信する手段を具備する、請求項２３に記載の装置。
【請求項２５】
前記ＡＰ基地局は、前記ネットワークオペレータと関連されている、請求項２２に記載の装置。
【請求項２６】
前記ネットワークオペレータと関連する前記複数のセーブされたコンタクトのための少なくとも１つの識別子を検索するための手段をさらに具備する請求項２２に記載の装置。
【請求項２７】
前記少なくとも１つの識別子と関連する前記複数の制限されたコンタクトを少なくとも含む許可されたユーザリストを生成するための手段をさらに具備する請求項２６に記載の装置。
【請求項２８】
アクセスポイント（ＡＰ）基地局の制限されたアクセス構成のための方法であって、前記制限されたアクセスは、選択されたグループのユーザのみにネットワークアクセスを与え、
コーリング履歴を前記ＡＰ基地局と関連するアクセス端末（ＡＴ）から検索することと、ここにおいて、前記コーリング履歴は、ＡＴユーザによってコールされるまたは受信される複数のセーブされた電話番号のリストを具備する、および
前記複数の制限された電話番号のどれかがネットワークオペレータと関連されているかどうかを前記ネットワークオペレータと関連する前記複数の制限された電話番号のための少なくとも１つの識別子に基づいて決定することと、および
前記複数の制限された電話番号のうちで前記ネットワークオペレータと関連している部分を前記ＡＰ基地局と関連するネットワークの対応する加入者の加入者アイデンティティに変換して、前記変換された識別子に基づいて前記ＡＰ基地局の制限されたアクセスを構成することと、ここにおいて、前記加入者アイデンティティは前記ＡＰ基地局と他のエンティティーとの間に安全な通信を提供するために一時的に生成される識別子を少なくとも含む、
を具備する方法。
【請求項２９】
前記ＡＴまたは前記ＡＴユーザに関して取得した情報に基づいて、前記ＡＰ基地局の所有権を確認することをさらに具備する請求項２８に記載の方法。
【請求項３０】
所有権を確認することは、前記ＡＴまたは前記ＡＴユーザから、前記ＡＰ基地局と関連するパスワードを受信することを具備する、請求項２９に記載の方法。
【請求項３１】
前記ＡＰ基地局は、前記ネットワークオペレータと関連されている、請求項２８に記載の方法。
【請求項３２】
前記決定することは、前記ネットワークオペレータと関連するそれらの複数のセーブされた電話番号のための少なくとも１つの識別子を検索することを具備する、請求項２８に記載の方法。
【請求項３３】
前記少なくとも１つの識別子を検索することは、前記コーリング履歴から前記少なくとも１つの識別子を検索することを具備する、請求項３２に記載の方法。
【請求項３４】
前記少なくとも１つの識別子を検索することは、前記ネットワークオペレータのレジストリから前記少なくとも１つの識別子を検索することを具備する、請求項３２に記載の方法。
【請求項３５】
前記少なくとも１つの識別子を前記レジストリから検索することは、前記ネットワークオペレータのホームロケーションレジスタ（ＨＬＲ）にアクセスすることを具備する、請求項３４に記載の方法。
【請求項３６】
前記少なくとも１つの検索された識別子と関連する前記複数の制限された電話番号に少なくとも部分的に基づいて許可されたユーザリストを生成することをさらに具備する請求項３２に記載の方法。
【請求項３７】
前記制限されたアクセスを構成するために前記許可されたユーザリストを利用することをさらに具備する請求項３６に記載の方法。
【請求項３８】
ビジターＡＴが前記ＡＰ基地局のカバレッジエリアにエンターすることに応答して、前記ビジターＡＴのビジター識別子は、前記許可されたユーザリストの少なくとも１つのエントリーに一致するかどうかを決定することをさらに具備する、請求項３６に記載の方法。
【請求項３９】
前記ビジター識別子が前記許可されたユーザリストの前記少なくとも１つのエントリーに一致することに応答して、前記ビジターＡＴが前記ＡＰ基地局にアクセスするのを許可することをさらに具備する請求項３８に記載の方法。
【請求項４０】
アクセスポイント（ＡＰ）基地局の制限されたアクセス構成のためのワイヤレス通信デバイスであって、前記制限されたアクセスは、選択されたグループのユーザのみにネットワークアクセスを与え、
コーリング履歴を前記ＡＰ基地局と関連するアクセス端末（ＡＴ）から受信するのに適合する受信機であって、前記コーリング履歴は、ＡＴユーザによってコールされるまたは受信される複数のセーブされた電話番号のリストを具備する、受信機と、
前記受信機と有効な通信状態にある少なくとも１つのプロセッサと、ここにおいて、前記少なくとも１つのプロセッサは、前記複数の制限された電話番号のどれかがネットワークオペレータと関連されているかどうかを前記ネットワークオペレータと関連する前記複数の制限された電話番号のための少なくとも１つの識別子に基づいて決定するのに適合されている、および
前記少なくとも１つのプロセッサと有効な通信状態にあり、前記少なくとも１つのプロセッサが、前記複数の制限された電話番号のうちで前記ネットワークオペレータと関連している部分を前記ＡＰ基地局と関連するネットワークの対応する加入者の加入者アイデンティティに変換して、前記変換された識別子に基づいて前記ＡＰ基地局への制限れたアクセスを構成するための実行可能なコードを具備するメモリと、ここにおいて、前記加入者アイデンティティは前記ＡＰ基地局と他のエンティティーとの間に安全な通信を提供するために一時的に生成される識別子を少なくとも含む、
を具備するデバイス。
【請求項４１】
前記少なくとも１つのプロセッサは、前記ＡＴまたは前記ＡＴユーザに関して取得した情報に基づいて、前記ＡＰ基地局の所有権を確認する、請求項４０に記載のデバイス。
【請求項４２】
前記少なくとも１つのプロセッサは、前記ＡＴまたは前記ＡＴユーザから、前記ＡＰ基地局と関連するパスワードを受信するのに適合されている、請求項４１に記載のデバイス。
【請求項４３】
前記ＡＰ基地局は、前記ネットワークオペレータと関連されている、請求項４０に記載のデバイス。
【請求項４４】
前記少なくとも１つのプロセッサは、前記ネットワークオペレータと関連するそれらの複数のセーブされた電話番号のための少なくとも１つの識別子を検索するのに適合されている、請求項４０に記載のデバイス。
【請求項４５】
前記少なくとも１つのプロセッサは、前記少なくとも１つの識別子を含む許可されたユーザリストを生成する、請求項４４に記載のデバイス。
【請求項４６】
アクセスポイント（ＡＰ）基地局の制限されたアクセス構成のためのワイヤレス通信装置であって、前記制限されたアクセスは、選択されたグループのユーザのみにネットワークアクセスを与え、
コーリング履歴を前記ＡＰ基地局と関連するアクセス端末（ＡＴ）から検索するための手段であって、前記コーリング履歴は、ＡＴユーザによってコールされるまたは受信される複数の電話番号のリストを具備する、手段と、および
前記複数の制限された電話番号のどれかがネットワークオペレータと関連されているかどうかを前記ネットワークオペレータと関連する前記複数の制限された電話番号のための少なくとも１つの識別子に基づいて決定する手段と、および
前記複数の制限された電話番号のうちで前記ネットワークオペレータと関連している部分を前記ＡＰ基地局と関連するネットワークの対応する加入者の加入者アイデンティティに変換して、前記変換された識別子に基づいて前記ＡＰ基地局への制限されたアクセスを構成するための手段と、ここにおいて、前記加入者アイデンティティは前記ＡＰ基地局と他のエンティティーとの間に安全な通信を提供するために一時的に生成される識別子を少なくとも含む、
を具備する装置。
【請求項４７】
前記ＡＴまたは前記ＡＴユーザに関して取得した情報に基づいて、前記ＡＰ基地局の所有権を確認するための手段をさらに具備する請求項４６に記載の装置。
【請求項４８】
確認するための前記手段は、前記ＡＴまたは前記ＡＴユーザから、前記ＡＰ基地局と関連するパスワードを受信するのに適合されている、請求項４７に記載の装置。
【請求項４９】
前記ＡＰ基地局は、前記ネットワークオペレータと関連されている、請求項４６に記載の装置。
【請求項５０】
前記ネットワークオペレータと関連するそれらの複数のセーブされた電話番号のための少なくとも１つの識別子を検索するための手段をさらに具備する請求項４６に記載の装置。
【請求項５１】
前記少なくとも１つの識別子を含む許可されたユーザリストを生成するための手段をさらに具備する請求項５０に記載の装置。
【請求項５２】
コンピュータ可読媒体であって、
アクセスポイント（ＡＰ）基地局と関連するアクセス端末（ＡＴ）からコーリング履歴をコンピュータに検索させるためのコードと、前記コーリング履歴は、ＡＴユーザによってコールされるまたは受信される複数の制限された電話番号のリストを具備する、
前記複数の制限された電話番号のどれかがネットワークオペレータと関連されているかどうかを前記ネットワークオペレータと関連する前記複数の制限された電話番号のための少なくとも１つの識別子に基づいて前記コンピュータに決定させるためのコードと、および
前記複数の制限された電話番号のうちで前記ネットワークオペレータと関連している部分を前記ＡＰ基地局と関連するネットワークの対応する加入者の加入者アイデンティティに変換して、前記変換された識別子に基づいて前記ＡＰ基地局への制限されたアクセスを前記コンピュータに構成させるためのコードと、ここにおいて、前記加入者アイデンティティは前記ＡＰ基地局と他のエンティティーとの間に安全な通信を提供するために一時的に生成される識別子を少なくとも含む、
を具備するコンピュータ可読媒体。
【請求項５３】
コンピュータ可読媒体であって、
前記ＡＰ基地局と関連するアクセス端末（ＡＴ）からのコンタクトリストをコンピュータに検索させるコードと、ここにおいて、前記コンタクトリストは、ＡＴユーザの複数のセーブされたコンタクトに関する情報を具備する、
前記複数のセーブされたコンタクトのどれかがネットワークオペレータと関連されているかどうかを前記ネットワークオペレータと関連する前記複数のセーブされたコンタクトのための少なくとも１つの識別子に基づいて前記コンピュータに決定させるコードと、および
前記複数のセーブされたコンタクトのうちで前記ネットワークオペレータと関連している部分を前記ＡＰ基地局と関連するネットワークの対応する加入者の加入者アイデンティティに変換して、前記変換された識別子に基づいて前記ＡＰ基地局への制限されたアクセスを前記コンピュータに構成させるコードと、ここにおいて、前記加入者アイデンティティは前記ＡＰ基地局と他のエンティティーとの間に安全な通信を提供するために一時的に生成される識別子を少なくとも含む、
を具備するコンピュータ可読媒体。
【請求項５４】
前記検索することが前記ＡＴにインストールされているアプリケーションレベルソフトウェアを介して行われる、請求項６に記載の方法。
【請求項５５】
前記複数のセーブされたコンタクトのうちで前記ネットワークオペレータと関連されていないものを削除することをさらに具備する、請求項１に記載の方法。
【請求項５６】
前記検索することが前記ＡＴにインストールされているアプリケーションレベルソフトウェアを介して行われる、請求項１７に記載の装置。
【請求項５７】
前記少なくとも１つのプロセッサが前記複数のセーブされたコンタクトのうちで前記ネットワークオペレータと関連されていないものを削除するように適合されている、請求項１３に記載の装置。
【請求項５８】
前記複数のセーブされたコンタクトのうちで異なるネットワークオペレータと関連されている少なくとも一部分を識別すること、および
異なるネットワークオペレータと関連されている前記の識別された複数のセーブされたコンタクトのために制限されたアクセスコンタクトリストを生成することと
をさらに具備する、請求項１に記載の方法。
【請求項５９】
前記少なくとも１つのプロセッサが、
前記複数のセーブされたコンタクトのうちで異なるネットワークオペレータと関連されている少なくとも一部分を識別すること、および
異なるネットワークオペレータと関連されている前記の識別された複数のセーブされたコンタクトのために制限されたアクセスコンタクトリストを生成することと
を実行するように適合される、請求項１３に記載の装置。
【発明の詳細な説明】
【技術分野】
【０００１】
本件出願は、一般に、複数のワイヤレス通信に関係し、より詳細には、制限されたアクセスのためのアクセスポイント基地局の自動化構成のための複数の技術に関係する。
【背景技術】
【０００２】
複数のワイヤレス通信システムは、様々な複数のタイプの通信（例えば、音声、データ、マルチメディアサービスなど）を複数のユーザに提供するために広く展開されている。高いレートおよび複数のマルチメディアデータサービスに対する要求が急速に増大するにつれて、増強されたパフォーマンスによる効率的かつ頑強な複数の通信システムを実装するという挑戦が待ち受けている。
【０００３】
近年、複数のユーザは、複数の固定のライン通信を複数のモバイル通信に置き換え始め、すばらしい音声品質、信頼できるサービス、かつ、低コストをますます要求している。現在実施されている複数のモバイル電話ネットワークに加えて、複数の小さい基地局の新しいクラスが出現した。これは、ユーザの家でインストールされることができ、存在する複数のブロードバンド・インターネット接続を使用して複数のモバイルユニットに屋内のワイヤレスカバレッジを提供する。そのような個人の小型の複数の基地局は、一般に、アクセスポイント（AP）基地局として知られており、ホームノードB（HNB）ユニット、フェムトセル（femto cell）、フェムト基地局（fBS）、基地局、または基地局送受信機システム（BTS）とも呼ばれる。典型的に、そのような複数の小型の基地局は、デジタル加入者ライン（DSL）ルーターまたはケーブルモデムを介して前記インターネットおよび前記モバイルオペレータのネットワークに接続される。
【０００４】
複数のAP基地局または複数のフェムトセルは、通常の基地局のサポートが弱いまたは利用不能なセルラーアクセス（例えば、屋内、遠隔位置、および同様のもの）を考慮に入れる。複数のAP基地局は、デジタル加入者ライン（DSL）、ケーブルインターネットアクセス、T1/T3などのようなブロードバンド帰路リンクを介して複数のワイヤレスサービスプロバイダに接続し、および基地送受信機局（BTS）技術、無線ネットワークコントローラ、およびゲートウェイサポート・ノードサービスのような典型的な基地局の機能性を提供する複数の小さい基地局として説明されてもよい。これは、セルラー／モバイル・デバイスまたはハンドセットとも呼ばれるアクセス端末（AT）、またはユーザ設備（UE）が前記AP基地局に接続され、前記ワイヤレスサービスを利用することを可能にする。複数のATは、例えば、複数のセルラー電話、複数のスマートフォン、複数のラップトップ、複数の携帯型通信デバイス、複数の携帯型計算デバイス、複数の衛星ラジオ、複数のナビゲーションデバイス、複数のPDA、および／またはワイヤレス通信システムにわたって通信するための任意の他の適切なデバイスを含むことができることが注目される。
【０００５】
ネットワークオペレータまたはワイヤレスサービスプロバイダの全ての顧客に対してオープンであるように、デフォルトによってオープンアクセスモードにおいて作動するAP基地局が現在存在する。そのような複数のAP基地局は、前記複数のオペレータ顧客のうちの選択された複数の者のみが前記フェムトセルを介して前記ネットワークへのアクセスを有するように、制限されたアクセスのために構成されていてもよい。しかしながら、AP基地局の制限されたアクセス構成のための現在の複数のアプローチは、極端に困難であってかつ時間を消費する。１つの現在のアプローチは、承認された電話番号のリストを作成するために前記ネットワークオペレータの消費者ケアセンターに前記基地局ユーザ／オーナーがコールするためのものである。消費者ネットワーク設備において一般に使用される他のアプローチ（例えば、複数のイーサネット（登録商標）ルーターおよび複数のワイヤレスアクセスポイント）は、コンピュータを介して構成情報にエンターするための複数のHTTP(Hyper Text Transfer Protocol)ウェブページを前記ユーザのためにサーブすることである。そのようなアプローチは、複数の消費者にとって厄介かもしれず、重要な複数の顧客サービスリソースを使い果たすかもしれない。したがって、複数のAP基地局の制限されたアクセス構成のための自動化技術に対するニーズがある。
【発明の概要】
【０００６】
以下では、１つまたは複数の実施形態の基本的な理解を提供するためにそれらの実施形態の単純化された概要を提供する。この概要は、すべての熟考された複数の実施形態に関する広範な概観ではなく、また、すべての実施形態の重大な要素またはキーを識別する、あるいは、いずれかのまたはすべての実施形態の範囲を描写するように意図されていない。この概要の唯一の目的は、のちに提供される、より詳細な説明の前置きとして単純化された形式で１つまたは複数の実施形態のいくつかの概念を提供することである。
【０００７】
１つまたは複数の実施形態およびそれらのものの対応する開示にしたがって、複数のアクセスポイント（AP）基地局へのアクセスを制御することまたは制限することに関連して様々な態様が説明される。特に、複数のAP基地局の制限されたアクセス構成のための方法およびシステムが本件出願において説明される。例えば、前記構成方法は、前記AP基地局と関連するアクセス端末（AT）またはモバイルデバイスからコンタクトリストを受信することを含むことができる。前記コンタクトリストは、モバイルデバイスユーザの複数のセーブされたコンタクトに関する情報を含むことができる。
【０００８】
前記複数のコンタクトに関する前記受信された情報から、前記オペレータと関連する複数のセーブされたコンタクトは、選択的に識別されることができる。前記方法は、前記それぞれの識別された複数のコンタクトのための複数の識別子を検索することを含むことができ、および前記検索された複数の識別子に少なくとも部分的に基づいて、許可されたユーザリストを生成することをさらに含むことができる。前記許可されたユーザリストは、前記AP基地局へのアクセスを制限、制御、またはそうでなければ管理するために利用されることができる。
【０００９】
関連する態様において、前記許可されたユーザリストを利用する前記ステップは、ビジターATまたはデバイスがAP基地局のカバレッジエリアにエンターすることに応答して、前記ビジターATのビジター識別子が、前記許可されたユーザリストの少なくとも１つのエントリーに一致するかどうかを決定することを含むことができる。このステップは、前記許可されたユーザリストの前記少なくとも１つのエントリーに一致する前記ビジター識別子に応答して、前記ビジターATが前記AP基地局にアクセスすることを可能にすることをさらに具備することができる。前記許可されたユーザリストのいずれのエントリーにも一致しない前記ビジター識別子に応答して、前記ビジターATは、前記AP基地局へのアクセスを拒否され得る。
【００１０】
さらに関連する複数の態様において、前記構成方法は、前記ATについてのコーリング履歴を受信することを含むことができ、および前記コーリング履歴における情報に少なくとも部分的に基づいて前記許可されたユーザリストを生成することをさらに含むことができる。このアプローチは、前記ATからの前記コンタクトリストを使用することおよび受信することの代わりまたは追加であってもよい。
【００１１】
さらなる関連する複数の態様にしたがって、AP基地局の制限されたアクセス構成のためのワイヤレス通信装置であって、受信機と、メモリと、および前記受信機および前記メモリと有効な通信状態にある少なくとも１つのプロセッサとを具備する装置が提供される。前記受信機は、コンタクトリスト、コーリング履歴、または同様のものを前記AP基地局と関連するATから受信することに適合されていてもよい。
【００１２】
前記メモリは、前記コンタクトリストの前記情報に少なくとも部分的に基づいて前記AP基地局への制限されたアクセスを構成するために前記少なくとも１つのプロセッサのための実行可能なコードを含むことができる。前記少なくとも１つのプロセッサは、検索された識別子に少なくとも部分的に基づいて許可されたユーザリストを生成することができる。
【００１３】
前述および関連する目的の達成のために、１つまたは複数の実施形態は、以下で十分に説明される特徴および特許請求の範囲において特に指摘される特徴を具備する。以下の説明および追加の図面は、１つまたは複数の実施形態のある例示的な複数の態様を詳細に述べる。これらの複数の態様は、様々な複数の実施形態の原則が採用されることができおよび説明された複数の実施形態がすべてのそのような複数の態様およびそれらの複数の同等物を含むように意図されている様々な方法を示しているが、しかしながら、ほんの数例である。
【図面の簡単な説明】
【００１４】
【図１】図1は、ワイヤレス通信システムの一例を例示する。
【図２】図2は、本件出願において述べられる様々な態様に従うワイヤレス通信システムの例示である。
【図３】図3は、アクセスポイント（AP）基地局の自動化制限されたアクセス構成を備える通信システムの一例を例示する。
【図４】図4は、AP基地局の一例のブロック図を図示する。
【図５】図5は、フェムトアクセスマネージャー（FAM）の一例のブロック図を図示する。
【図６】図6は、AP基地局へのアクセスを制御するための方法の一例のフローチャート図である。
【図７】図7は、制限されたアクセスのためのAP基地局を構成するための方法の一例のフローチャートを図示する。
【図８】図8は、AP基地局の制限されたアクセス構成のための装置の一例を例示する。
【図９Ａ】図9Aは、AP基地局の制限されたアクセス構成のための装置の他の事例を例示する。
【図９Ｂ】図9Bは、AP基地局の制限されたアクセス構成のための装置のいくつかのサンプルの態様の単純化されたブロック図である。
【発明の詳細な説明】
【００１５】
図面を参照して様々な実施形態がこれから説明される。ここにおいて、同様のエレメンに対して同様の参照番号が全体を通して使用される。以下の説明において、説明の目的のために、1つまたは複数の実施形態の全体の理解を提供するために多数の特定の詳細が述べられる。しかしながら、そのような実施形態（複数）がこれらの特定の複数の詳細によらずに実施されることができることは明白であり得る。他の事例において、1つまたは複数の実施形態を説明することを容易にするために周知の複数の構成および複数のデバイスがブロック図の形式で示される。
【００１６】
以前に述べられたように、アクセスポイント（AP）基地局へのアクセスを制限するための現在の複数のアプローチは、複数の顧客にとって極端に困難かつ時間を消費し得る、または実質的な複数のオペレータ顧客サービスリソースを必要とし得る。本件出願において説明される技術は、制限されたアクセスのための前記AP基地局を構成するためにAP基地局のオーナーのアクセス端末（AT）上に記憶される情報（例えば、複数のコンタクトリスト、複数のコーリング履歴など）を使用する自動化技術に対するニーズに向けられる。
【００１７】
AP基地局は、個別の複数の消費者へ配備され、複数の家庭、複数のアパートビル、複数のオフィスビルなどに設置されることができる。AP基地局は、ライセンスされたセルラー送信帯域を利用して前記AP基地局の範囲におけるATとワイヤレスに通信することができる。さらに、複数のAP基地局は、デジタル加入者ライン（DSL、例えば、非対称DSL（ADSL）、高いデータレートDSL（HDSL）、非常に高速なDSL（VDSL）など）、インターネットプロトコル（IP）トラフィックを搬送するTVケーブル、電力ライン上のブロードバンド（BPL）接続、または同様の接続のようなインターネットプロトコル（IP）接続の方法によってコアのセルラーネットワークに接続されることができる。前記IPラインと前記セルラーネットワークとの間の前記接続は、直接の接続、または前記インターネットの方法によってもよい。したがって、AP基地局は、セルラーサポートをATまたはセルラーハンドセットに提供し、かつ、IP接続を通ってセルラートラフィック（例えば、音声、データ、ビデオ、オーディオ、インターネットなど）をマクロセルラーネットワークに送ることができる。このメカニズムは、消費者時空（air time）コストをセーブすることができ、ネットワークプロバイダのセルラーネットワーク・トラフィックロードを低減することができる。さらに、家庭、オフィスビル、アパートなどの屋内のセルラーカバレッジは、複数のAP基地局の実装によって大幅に改善されることができる。
【００１８】
AP基地局は、複数のATによりセルラーリンク（例えば、1つまたは複数のライセンスされた無線ネットワーク周波数を利用するワイヤレスリンク）を形成することができるが、消費者は、典型的に、前記AP基地局に接続された個人のIP接続によって彼または彼女の自分のトラフィックのみが搬送されるよう望む。例えば、複数の消費者は、他の複数のATユーザの使用のためよりは、彼らの自己使用のためにIP帯域幅を保存するよう望むかもしれない。その結果、AP基地局は、一般に、単一のATまたは1グループの複数のATのみと関連させられ、そのようなAT（複数）に関係するトラフィックは、前記消費者のIP接続上で送られるが、他のATに関係するトラフィックは、ブロックされる。したがって、前記AP基地局は、加入者に関係なく複数のATと通信することができるけれども、前記AP基地局は、典型的に、特定の消費者、サービスプラン、および／または同様のものと関連されていない複数のデバイスを無視するようにプログラムされている。
【００１９】
図1は、複数のユーザをサポートするように適合されているワイヤレス通信システム100の一例を例示する。ここで、様々な開示された実施形態および態様が実装されることができる。図1において図示されるように、一例として、システム100は、例えば、複数のマクロセル102aないし102gのような複数のセル102のための通信を提供する。ここで、各々のセルは、対応するAP基地局104（例えば、AP基地局104aないし104g）によってサービスされる。各々のセルは、セクターとも呼ばれる1つまたは複数のアンテナグループにさらに分割されることができる。複数のAT106aないし106kを含む様々なAT106は、前記システム100の全体にわたって分散されることができる。各々のAT106は、例えば、前記ATがアクティブであるかどうかおよびソフトハンドオフにあるかどうかに依存して、所与の瞬間において順方向リンクおよび／または逆方向リンク上で1つまたは複数のAP104と通信することができる。前記ワイヤレス通信システム100は、広い地理的領域にわたってサービスを提供することができる。例えば、複数のマクロセル102aないし102gは、近隣におけるいくつかのブロックをカバーすることができる。
【００２０】
これから図2を参照して、ここにおいて提供される様々な実施形態にしたがってワイヤレス通信システム200が例示される。システム200は、複数のアンテナグループを含むことができる基地局202を具備する。例えば、１つのアンテナグループは、複数のアンテナ204および206を含むことができ、他のグループは、複数のアンテナ208および210を具備することができ、および追加のグループは、複数のアンテナ212および214を含むことができる。各々のアンテナグループについて2つのアンテナが例示されているが、各々のグループについてより多くのまたはより少ないアンテナが利用されることができる。基地局202は、当該技術分野の技術者によって認識されるように、送信機チェーンおよび受信機チェーンを追加的に含むことができ、これらの各々は、次に、信号送信および受信と関連する複数のコンポーネント（例えば、複数のプロセッサ、複数の変調器、複数のマルチプレクサ、複数の復調器、複数のデマルチプレクサ、複数のアンテナなど）を具備することができる。基地局202は、例えば、AT216およびAT222のような1つまたは複数のATと通信することができる。
【００２１】
図2において図示されるように、AT 216は、複数のアンテナ212および214と通信状態にある。ここで、複数のアンテナ212および214は、順方向リンク218上で情報をAT216に送信し、逆方向リンク220上で情報をAT216から受信する。さらに、AT222は、複数のアンテナ204および206と通信状態にある。ここで、複数のアンテナ204および206は、順方向リンク224上で情報をAT222に送信し、逆方向リンク226上で情報をAT222から受信する。周波数分割多重化（FDD）システムにおいて、例えば、順方向リンク218は、逆方向リンク220によって使用される周波数帯域とは異なる周波数帯域を利用することができ、順方向リンク224は、逆方向リンク226によって採用される周波数帯域とは異なる周波数帯域を採用することができる。さらに、時分割多重化（TDD）システムにおいて、順方向リンク218および逆方向リンク220は、共通の周波数帯域を利用することができ、また、順方向リンク224および逆方向リンク226は、共通の周波数帯域を利用することができる。
【００２２】
通信するために設計されている前記エリアおよび／または複数のアンテナの各々のグループは、基地局202のセクターと呼ばれてもよい。例えば、複数のアンテナグループは、基地局202によってカバーされる前記複数のエリアのセクターにおける複数のATに通信するように設計されていることができる。複数の順方向リンク218および224にわたる通信において、基地局202の前記複数の送信アンテナは、複数のAT216および222のための複数の順方向リンク218および224の信号対雑音比を改善するためにビームフォーミングを利用することができる。また、基地局202が、関連するカバレッジにわたってランダムに拡散される複数のAT216および222に送信をするためにビームフォーミングを利用するのに対し、近隣の複数のセルにおける複数のATは、すべてのその複数のATへ単一のアンテナを通って送信をする基地局と比較して、より少ない干渉を受け得る。さらに、複数のAT216および222は、１つの事例において、ピア・ツー・ピアまたは特別の技術を使用して互いに直接通信することができる。
【００２３】
基地局202の同様の機能性は、複数のAP基地局228および230において実装されることができる。これらは、例えば、住宅またはオフィスビルのような、より小規模な位置において配備されることができる。以前に述べられたように、複数のAP基地局はまた、複数のフェムトセルまたは複数のホームノードB（HNB）ユニットと呼ばれ、DSL、ケーブル、T1/T3などのようなワイヤレスサービスプロバイダへのブロードバンド帰路リンクを有することができ、および1つまたは複数のATへワイヤレス通信サービスを提供することができる。図示されるように、AP基地局228は、順方向リンク234上で1つまたは複数のAT（複数）232と通信することができ、逆方向リンク236上でAT（複数）232から同様に前記基地局202への通信を受信することができる。
【００２４】
事例にしたがって、ワイヤレスサービスアクセスを提供するためにAP基地局230が配備されることができる。AP基地局230は、ブロードバンド帰路リンク、1つまたは複数の異なるフェムトセルまたは無線の複数のマクロセルなどを介してワイヤレスサービス・アクセスプロバイダに接続することができる。配備される際、AP基地局230は、周辺の複数のフェムトセル（例えば、AP基地局228）および複数のマクロセル（例えば、基地局202またはそれらのもののセクター／セル）による干渉を回避するように選択的に自己構成することができる。この点に関して、AP基地局230は、複数のAT216、222、および232と酷似の前記基地局202および異なるAP基地局228から複数の信号を受信することができる。前記複数の信号は、前記異なるAP基地局228および／または基地局202によって利用される複数の構成パラメータを決定するために前記AP基地局230によって利用されることができる複数のオーバーヘッドシステムメッセージであってもよい。
【００２５】
同様の環境構成のためにAP基地局230によって前記複数の構成パラメータが決定されることができる。加えて、干渉を緩和するために、AP基地局230が、異なる複数のパラメータを選択することを確実にするために前記複数のパラメータが決定および利用されることができる。これらの複数のパラメータは、例えば、AP基地局228、基地局202、および／または本質的に任意の他の周辺の複数の送信機のためのチャネル識別子（例えば、符号分割多元接続（CDMA）チャネルID）、擬似雑音（PN）オフセット、および／または同様のものを含むことができる。AP基地局230は、その結果、前記周辺の複数のフェムトセルおよび複数のマクロセルに干渉するといけないので、そのチャネル識別子、PNオフセットなどを自己構成することができる。追加的に、AP基地局230と通信する複数のデバイスのための複数のハードおよびソフトハンドオフを容易にするために、AP基地局230は、周辺の複数のフェムトセルおよび複数のマクロセルの近隣のリストを構築するためにこの情報を利用することができる。AP基地局230は、タイミング、位置、および／または同様のものを決定するために、例えば、AP基地局228および／または基地局202から複数のRF信号を受信するよう適合されていてもよい。
【００２６】
図3は、所与のネットワークオペレータのネットワーク上で通信するように適合されているAT302からの情報または当該AT302と関連する情報に少なくとも部分的に基づいてAP基地局310の自動制限されたアクセス構成を備える通信システム300の一例のブロック図を提供する。前記システム300は、例えば、DSL、ケーブルインターネットアクセス、T1/T3、または同様のもののようなブロードバンド帰路リンク312を介してフェムトアクセスマネージャ（FAM）314または同様のものと有効な通信状態にあるAP基地局310を含むことができる。
【００２７】
図3においてただ1つのAP基地局310が図示されているが、前記システム300は、複数のAP基地局を含むことができる。ここにおいて、各々は、例えば、1つまたは複数のユーザ住宅のような対応する小規模なネットワーク環境においてインストールされ、および他のものと同様にAT（複数）に関連するサービスに適合されていることが注目される。本件出願において説明されるある複数の実施形態は、3GPP（第３世代パートナーシップ・プロジェクト）の用語を使用するが、前記複数の実施形態は、SGPP2(1xRTT, 1xEV-DO Rel0, RevA, RevB)技術と同様に、3GPP(Rel99, Rel5, Rel6, Rel7)技術および他の周知であり、かつ、関係する技術が適用されてもよいことがさらに注目される。
【００２８】
前記システム300はまた、無線ネットワークコントローラ（RNC）322または同様のものと有効な通信状態にあるノードBまたは基地局320を含むことができる。前記RNCは、メッセージ切換センター（MSC）324または複数の音声コール、ショートメッセージサービス（SMS）、および他の複数のサービス（例えば、複数の電話会議、FAX、および回路切換データ）を扱うことの責任がある同様のサービス搬送ノードと有効な通信状態にあってもよい。前記MSC324または同様のものは、複数の末端間接続を設定および開放すること、前記コールの間に移動性および複数のハンドオーバー要求を扱うこと、チャージングおよびリアルタイム・プリペイド・アカウント・モニタリングを処理することなどをすることができる。
【００２９】
前記MSC324は、ビジター位置レジスタ（VLR）326または特定のエリアに入ったまたは特定のエリア内にロームされた複数のネットワーク加入者の同様の一時的なデータベースを含む、またはそうでなければこれらのものと通信状態にあってもよい。前記VLR326は、レジストリ328と有効な通信状態にあってもよい。これは、一般に、前記オペレータのネットワークを使用することが認可された複数のモバイル電話加入者の詳細を含むデータベースを具備することができる。例えば、前記レジストリ328は、GSM（登録商標）（Global System for Mobile Communication）コアネットワークの前記例示的なコンテキストにおけるHLRを具備することができる。
【００３０】
前記MSC324は、公衆切換電話ネットワーク(PSTN)330または同様のものと有効な通信状態にあってもよい。前記システム300は、例えば、MSC324’、VLR326’、およびレジストリ328’のような前記MSC324と有効な通信状態にある追加の複数のMSCおよび複数のレジストリをさらに含むことができる。
【００３１】
前記FAM314は、計算／ネットワーク・デバイスまたはサーバを具備することができ、およびデータベース316と有効な通信状態にあってもよい。前記データベース316は、複数のAP基地局アイデンティティ、複数の所有者アイデンティティ、複数の所有者パスワード、複数の許可されたアイデンティティ、または同様のもののうちの1つまたは複数を含むまたはこれらのものに関係する情報を記憶することができる。
【００３２】
関連する複数の態様において、前記AT302の前記顧客またはユーザは、複数の電話番号を彼／彼女のAT302上のコンタクトリスト／電話帳に追加することができる。前記コンタクトリストは、例えば、前記ネットワークのレジストリ328またはFAM314においてといったように遠隔におよび／または前記AT302上のデータファイルとして記憶されることができる。前記AT302は、1つまたは複数のコンタクトリストを具備することができることが注目される。1つの実施形態において、前記AT302は、前記モバイルデバイスユーザのために単一のコンタクトリストを記憶することができる。他の実施形態において、前記AT302は、例えば、前記ATユーザがAP基地局アクセスを提供することを望む複数のコンタクトのための制限されたアクセス制御リストおよび一般的なコンタクトリストのような複数のコンタクトリストを記憶することができる。前記制限されたアクセスのコンタクトリストは、前記一般的なコンタクトリストのサブセットであってもよい。しかしながら、前記ユーザの制限されたアクセスコンタクトリストにおける前記複数のコンタクトのうちのいくつかは、前記ユーザのAP基地局310が関連されている前記ネットワーク／サービスの複数の顧客ではなくてもよいので、前記FAM314によって生成される前記許可されたユーザリストは、前記ユーザの制限されたアクセスコンタクトリストのサブセットを具備することができることが注目される。
【００３３】
例えば、AT302上に記憶される前記コンタクトリストは、例えば、AP基地局310および選択的にFAM314のようなネットワークエンティティに送信されることができまたはこれによって検索されることができる。これは、例えば、BREWベースのアプリケーションのような前記AT上のアプリケーションレベルソフトウェアによって成し遂げられることができる。AP基地局310への前記コンタクトリストの前記送信は、AT302の前記ユーザによって（例えば、前記BREWアプリケーションからの複数のプロンプトにより）および／または前記ネットワークと関連するサービスセンターの人員によって開始されることができる。
【００３４】
AT302の前記ユーザは、前記AP基地局310の彼／彼女の所有権を有効にするために彼／彼女のAP基地局310と関連するパスワードを入力することができる。例えば、前記パスワードは、AP基地局310により供給される基地局／ユニット／設備の固有のパスワードを具備することができる。代替的に、または追加的に、サービス人員は、前記モバイルデバイス・アイデンティティと前記AP基地局アイデンティティとの間に整合性があることを検証するためにデータベース316において前記AT302のアイデンティティを前記AP基地局アイデンティティとチェックまたは相互参照してもよい。
【００３５】
FAM314または他のネットワークエンティティは、ATアイデンティティ（ID）、識別子、および／または前記ATユーザによってエンターされる他の関係するデータに少なくとも部分的に基づいて所与のトランザクションのための前記AP基地局アイデンティティを調べることができる。FAM314または他のネットワークエンティティは、AT IDおよび／または前記パスワードを使用することによって前記所与のトランザクションを有効にすることができる。例えば、前記ATのIDが、格納された所有者のAT IDまたは同様のものと一致するとき、FAM 314は、前記トランザクションを有効にすることができる。
【００３６】
前記収集されたコンタクトリストは、前記ネットワークオペレータの電話番号データベースへのアクセスを備えるネットワークエンティティによって選択的に処理されることができる。他の複数のオペレータに属する複数の電話番号は、削除されてもよい。設備または複数のデバイスID、インターナショナルモバイル加入者アイデンティティ（IMSI）、またはネットワーク／システム・アクセスを制御するために使用される他の複数の識別子を生成するために前記ネットワークエンティティによって有効な複数の電話番号（つまり、AP基地局310が関連されている前記ネットワークの複数の顧客である前記コンタクトリストにおける複数のコンタクトに属する複数の電話番号）が調査されてもよい。
【００３７】
例えば、FAM314は、前記コンタクトリストの前記記憶された複数の電話番号を複数の加入者アイデンティティに変換するために、前記受信したコンタクトリストを処理することができ、および前記１つまたは複数のレジスタ328と通信することができる。前記記憶された複数の電話番号のすべてまたは一部は、AP基地局310が関連されている前記ネットワークの複数の加入者に対応してもよく、またはときにはいずれもこれらに対応していなくてもよいことに注意せよ。前記複数のネットワーク加入者に対応する複数の電話番号に関して、許可されたユーザリストを生成するために、前記複数の加入者アイデンティティおよび／または関連情報が集められ、使用されてもよい。前記許可されたユーザリストは、FAM314にセーブされることができ、FAM314は、コール設定の間にAP基地局310のための制限されたアクセスコントロールを選択的に実行することができる。代替的に、または追加的に、AP基地局310が、制限されたアクセスコントロールをそれ自身で実行することができるように、前記許可されたユーザリストは、AP基地局310に安全に送信されることができる。
【００３８】
AP基地局310からそのような情報を読み出すまたは盗むことが困難であるように、安全な方法で前記許可されたユーザリストにおける前記複数の加入者アイデンティティが送信および記憶されることができる。例えば、前記許可されたユーザリストにおける前記加入者アイデンティティは、一時的モバイル加入者アイデンティティ（TMSI）または同様のもののような一時的な性質のものであってもよい。代替的に、または追加的に、1つまたは複数の安全な個人の複数のネットワーク（複数のSPN）は、FAM314とAP基地局310との間の安全な通信を提供するために帰路312内で確立されることができる。各々のSPNは、公共のネットワークの1つまたは複数のセグメントにわたるIP安全トンネルを提供することができる。これは、前記インターネットの1つまたは複数の公共の部分（例えば、802.3、DSL、ケーブル、イーサネットなど）を含んでもよい。
【００３９】
前記複数のSPNは、例えば、複数の仮想プライベートネットワーク（複数のVPN）の作成によるような任意の既知の技術にしたがって確立されることができる。ここで、複数のノード間の前記複数のリンクのうちのいくつかは、例えば、前記インターネットの複数の公共の部分のようなより大きなネットワークにおける複数のオープン接続または複数の仮想回路によって搬送される。前記仮想ネットワークの複数のリンク層プロトコルは、前記より大きなネットワークを通って通り抜けさせられることができる。前記公共のネットワークは、例えば、広いエリアネットワーク（WAN）、キャンパス・エリアネットワーク（CAN）、メトロポリタン・エリアネットワーク（MAN）、ワイヤレス・アプリケーション・プロトコル（WAP）などのような任意の既知の複数の基準を利用する有線またはワイヤレスの任意の通信ネットワークを具備することができることが注目される。前記公共のネットワークは、例えば、802.11a、802.11b、802.11g、802.11nなどのようなワイヤレス・ローカル・エリアネットワーク（WLAN）を含んでもよいことがさらに注目される。前記WANマクロセルは、UMB(Ultra Mobile Broadband)、LTE(Long Term Evolution)、WiMax(Worldwide Interoperability for Microwave Access)などに基づいてもよい。前記システム300は、前記WANシステムと同じ搬送波を再使用する同じ一般的な地理的エリア内に配備される複数のWANマクロセルおよび複数のフェムトセルを具備することができる。前記WANシステムは、例えば、UMBのような従来の技術を使用することができるのに対し、前記フェムトシステムは、例えば、AP基地局オペレーションを効率的にサポートするUMBの発展バージョンのような新しい技術を使用することができる。
【００４０】
さらなる関連する複数の態様において、AT302は、AP基地局310、FAM314、または前記許可されたユーザリストの前記生成のための他のネットワークエンティティに送られることができるデータファイルを具備することができる。例えば、上で説明されたように、前記データファイルは、電話またはコンタクトリストを具備することができる。他の事例において、前記データファイルは、前記電話ユーザによるクイック・リファレンスのためおよび／または前記ネットワーク内の複数の請求記録のために一般に維持されるように電話のコーリング履歴を具備することができる。したがって、前記データファイルに記憶される情報（例えば、前記コンタクトリスト、前記コーリング履歴、およびそれらのものの複数のバリエーション／複数の組み合わせ）は、前記許可されたユーザリストを生成するために使用されることができる。再び、前記データファイルにおける前記複数のコンタクトまたは複数の電話番号のうちのいくつかは、前記AP基地局のネットワークに加入するまたは当該ネットワークに関連されている複数の顧客に対応しないかもしれないので、前記データファイルにおける前記情報の一部のみが、前記許可されたユーザリストを作成するために使用されてもよいか、または前記許可されたユーザリストのうちの一部であってもよいことが注目される。さらに、前記データファイルは、AT302上に位置されてもよいことが注目される。代替的に、または追加的に、前記データファイルは、例えば、FAM314、レジストリ328、または他のネットワークエンティティにおけるようなAT302に関連して遠隔的に記憶されることができる。
【００４１】
図4を参照して、複数の受信アンテナ406を通ってAT(複数)404からのまたは他の複数のAP基地局（図示されていない）からの信号（複数）を受信するのに適合されている受信機コンポーネント／モジュール410を備えるAP基地局402を含むシステム400の一例が提供される。AP基地局402はまた、1つまたは複数の送信アンテナ408を通ってAT404または同様のものに送信するのに適合されている送信機コンポーネント／モジュール426を含んでもよい。受信機コンポーネント410は、複数の受信アンテナ406から情報を受信することができ、および前記AT（複数）404によって送信されるアップリンクデータを受信する信号受信者（図示されていない）をさらに具備することができる。受信機コンポーネント410および送信機コンポーネント426は、両方ともWLAN、BPL、Ethernet（登録商標）、UMTS (Universal Mobile Telecommunication System) TDD、または複数のATまたは他の複数のAP基地局と相互に作用するためのUMTS TDDスペクトル通信能力にわたるWLANを含むことができる。
【００４２】
受信機コンポーネント410は、受信情報を復調するのに適合されている復調器412と作動可能なように関連されていてもよい。復調された複数のシンボルは、変調器424によって変調され、送信機コンポーネント426によって送信された追加の複数の信号（例えば、送信および／または複数のルーティング命令の形式で）を生成するためにネットワークプロセッサ422によって分析されることができる。さらに、プロセッサ422は、メモリモジュール／コンポーネント420に結合されることができる。メモリモジュール420は、有線のおよび／またはワイヤレス通信を達成することに関する情報、複数のAP基地局間のおよび／または接続された複数のATのフェムトネットワークおよびルーティング情報を維持するための複数のアプリケーションモジュール、および／またはここで述べられる前記様々な動作および機能を実行することに関係する任意の他の適切な情報を記憶することができる。
【００４３】
プロセッサ422は、セルラーネットワークへの伝送（例えば、前記セルラーネットワークへの直接の接続の方法によって、または前記インターネットの方法によって）のために、AP基地局402とAT404との間の通信リンクと関連するトラヒックの少なくとも一部を近隣のAT基地局（図示されていない）へルートすることができる。さらに、プロセッサ422は、AP基地局402（例えば、予め決定されたATまたは複数のATのグループによって生成される）と関係するトラフィックをIPアップロードリンク430（例えば、ADSL、VDSL、HDSLなどのようなDSL接続、ケーブルIP接続、BPL接続）の方法によって前記セルラーネットワークに直接向けることに適合されていてもよい。加えて、データは、IPダウンロードリンク428（例えば、DSL、ケーブル、BPL）を介して前記セルラーネットワークから受信されることができ、前記AP基地局402と関係するAT404に向けられてもよい。AP基地局402は、1つまたは複数のプロセッサ422を具備してもよいことが注目される。
【００４４】
受信機コンポーネント410および送信機コンポーネント426は、ライセンスされていない複数の周波数または有線の複数の接続（例えば、WLANルーター、LANルーター、または同様のもの）上で通信するIPルーター427の方法によって（例えば、IPアップロード430および／またはIPダウンロード428によって）セルラーネットワークへ／からまたは前記フェムトネットワークの他の複数のAP基地局へ／から様々な情報をそれぞれ受信および送信することができる。前記複数の受信機および送信機コンポーネント／モジュール410、426は、他の複数の実施形態において送受信機モジュール（図示されていない）の一部であってもよく、または送受信機モジュールと取り替えられてもよいことが注目される。前記図示された受信機410および送信機426、または代替的に送受信機は、複数のAP基地局との複数の通信リンクをサポートするのに適合されていてもよい。
【００４５】
関連する複数の態様において、メモリ420は、制限されたアクセスのためのAP基地局402を構成するためのコード／複数の命令を生成または具備する複数のアプリケーションモジュールまたは複数のアプリケーションを含んでもよい。例えば、メモリ420は、例えば、AT404からコンタクトリストまたはコーリング履歴のようなデータファイルをプロセッサ422が検索または受信するための実行可能なコードを含むことができる。前記コンタクトリストおよび／またはコーリング履歴は、前記ATユーザの複数のセーブされたコンタクトの情報（例えば、複数の電話番号）を含むことができる。メモリ420は、AT404からの前記コンタクトリストおよび／またはコーリング履歴に少なくとも部分的に基づいてAP基地局420への制限されたアクセスを構成するためにプロセッサ422のための実行可能なコードをさらに含むことができる。
【００４６】
メモリ420は、前記AP基地局402と関連するパスワードを受信することによるようなAP基地局402の所有権を確認するためにプロセッサ422のための実行可能なコードをさらに含むことができる。メモリ420は、基地局402により供給されるパスワード（AP基地局402に特有）を具備することができる。これは、前記基地局402の彼／彼女の所有権を有効にするためにAT404の前記ユーザがネットワークエンティティ（例えば、基地局402、前記FAMなど）に提供するべきものである。プロセッサ422は、前記ネットワークエンティティにより安全な通信トンネルを確立する際に前記パスワードを他のネットワークエンティティ（例えば、前記FAM）に送信するよう送信機426に命令するよう選択的に適合されていてもよい。代替的に、または追加的に、前記FAMまたは同様のものは、1つまたは複数のAP基地局に特有である複数のパスワードのデータベースへのアクセスを具備するか、そうでなければ当該アクセスを有することができる。
【００４７】
AP基地局402は、ネットワークオペレータと関連されていてもよく、メモリ420は、前記ネットワークオペレータと関連されている前記コンタクトリストにおいて複数のセーブされたコンタクト（または前記コーリング履歴における複数の電話番号）をプロセッサ422が識別するための実行可能なコードをさらに選択的に含むことができる。メモリ420は、プロセッサ422が、前記コンタクトリストからそのような複数のコンタクトのための識別子を検索し、前記検索された識別子に少なくとも部分的に基づいて前記許可されたユーザリストを生成し、およびAP基地局402によって前記セルラーネットワークへの前記制限されたアクセスを構成するための前記許可されたユーザリストを利用するための実行可能なコードをさらに含むことができる。
【００４８】
ビジターATがAP基地局402のカバレッジエリアにエンターすることに応答して、プロセッサ422は、前記ビジターATのビジター識別子が、前記許可されたユーザリストの少なくとも1つのエントリーに一致するかどうかを決定するのに適合されていてもよい。前記ビジター識別子が、前記許可されたユーザリストの少なくとも1つのエントリーに一致するとき、プロセッサ422は、前記ビジターATがAP基地局402によってネットワークにアクセスすることを許可するのに適合されていてもよい。
【００４９】
代替的に、または追加的に、メモリ420は、プロセッサ422が、前記ネットワークオペレータ（例えば、図3におけるレジストリ328）のレジストリからそのような複数のコンタクトのための識別子を検索し、前記検索された識別子に少なくとも部分的に基づいて、許可されたユーザリストを生成し、およびAP基地局402によって前記セルラーネットワークへの前記制限されたアクセスを構成するために前記許可されたユーザリストを利用するための実行可能なコードを含むことができる。プロセッサ422は、前記ネットワークオペレータのHLRにアクセスすることによっておよび／またはネットワークアクセスをコントロールするために使用される設備IDを得ることによって前記識別子を検索することができる。
【００５０】
図5に関して、送受信機510と、前記送受信機510と有効な通信状態にあるプロセッサ520と、および前記プロセッサ520と有効な通信状態にあるメモリ530とを含むフェムトアクセスマネージャ（FAM）500の一例が提供される。送受信機510は、AP基地局と関連するATから直接的または間接的にデータファイル502（例えば、コンタクトリスト、コーリング履歴など）を受信するのに適合されていてもよい。送受信機510は、AP基地局からデータファイル502を受信することができることが注目される。送受信機510は、受信機および送信機により代用されることができ、各々は、プロセッサ520と有効な通信状態にあってもよいことがさらに注目される。
【００５１】
メモリ530は、プロセッサ520が、受信したデータファイル502を分析／処理／調査するため、および所与のネットワークオペレータと関連する任意の複数のセーブされたコンタクトおよび／または複数の電話番号を選択的に識別するための実行可能なコードを含むことができる。メモリ530は、プロセッサ520が、前記ネットワークオペレータの1つまたは複数のレジストリ（例えば、複数のHLRまたはどうようのもの）からの前記識別された複数のコンタクトのための識別子（例えば、デバイスID、IMSI（International Mobile Subscriber Identity）、ネットワーク／システムアクセスを制御するために使用される他の複数の識別子など）を検索するための実行可能なコードをさらに含むことができる。メモリ530は、プロセッサ520が、前記検索された複数の識別子に少なくとも部分的に基づいて、許可されたユーザリストを生成し、および前記ネットワークと関連する1つまたは複数のAP基地局によって前記ネットワークへのアクセスを制限／コントロールするために前記許可されたユーザリストを利用するための実行可能なコードをさらに含むことができる。代替的に、または追加的に、プロセッサ520は、所与のAP基地局に前記許可されたユーザリストを送信するよう送受信機510に命令するのに適合されていることができる。これは、次に、前記所与のAP基地局へのアクセスをコントロールするために前記許可されたユーザリストを利用することができ、したがって、前記所与のAP基地局によって前記ネットワークへのアクセスを制御することができる。
【００５２】
1つの例示的な実施形態において、メモリ530は、プロセッサ520が、前記ネットワークオペレータと関連する少なくとも1つのコンタクトを前記データファイルにおいて識別し、および前記オペレータのレジストリから前記少なくとも1つのコンタクトのための少なくとも1つの識別子を検索するための実行可能なコードを選択的に含むことができる。メモリ530は、プロセッサ520が、前記少なくとも1つの検索された識別子に少なくとも部分的に基づいて、許可されたユーザリストを生成し、およびAP基地局アクセスをコントロールするために前記許可されたユーザリストを利用するための実行可能なコードをさらに含むことができる。例えば、プロセッサ520は、ビジターデバイスが所与のAP基地局のカバレッジエリアにエンターすることに応答して、前記ビジターデバイスのビジター識別子が、前記許可されたユーザリストの少なくとも1つのエントリーに一致するかどうかを決定することによって、前記許可されたユーザリストを利用することができる。前記ビジター識別子が、前記許可されたユーザリストの前記少なくとも1つのエントリーに一致するとき、プロセッサ520は、前記ビジターデバイスが前記所与のAP基地局にアクセスすることを許可することができる。前記ビジター識別子が、前記許可されたユーザリストの前記少なくとも1つのエントリーに一致しないとき、プロセッサ520は、前記ビジターデバイスが前記所与のAP基地局にアクセスすることを拒否し得る。
【００５３】
関連する複数の態様において、送受信機510は、所与のAP基地局から固有の識別子を受信することができ、プロセッサ520は、前記所与のAP基地局の所有権を確認するために前記固有の識別子をチェックすることができる。プロセッサ520は、前記所与のAP基地局と関連するパスワードを受信することによって所有権を確認することができる。さらなる関連する複数の態様において、プロセッサ520は、前記ネットワークオペレータのHLRから前記固有の識別子を検索することができる。プロセッサ520は、ネットワークアクセスをコントロールするために使用される設備IDを得ることによって前記識別子を検索することができる。さらにさらなる関連する複数の態様において、FAM500は、前記許可されたユーザリストをメモリ530に記憶することができる。代替的に、または追加的に、FAM500は、前記AP基地局へのアクセスの記憶および制限のために、前記許可されたユーザリストまたはそれらのもののコピーを前記AP基地局へ送信することができる。
【００５４】
ここにおいて説明された前記複数の実施形態の1つまたは複数の態様にしたがって、AP基地局の制限されたアクセス構成のための複数の方法が提供される。図6において図示されるフローチャートを参照して、前記方法600は、前記AP基地局と有効な通信状態にあるATからコンタクトリストを受信することを含むことができる（ステップ610）。前記コンタクトリストは、前記ATユーザの複数のセーブされたコンタクトに関する複数の電話番号または他の情報を含むことができる。選択的なステップ620は、前記コンタクトリストからの前記オペレータと関連されている複数のセーブされたコンタクトを識別することを含むことができる。
【００５５】
選択的なステップ630は、前記ネットワークオペレータと関連する複数のセーブされたコンタクトのような前記コンタクトリストにおける前記複数のセーブされたコンタクトのための複数の識別子（例えば、ネットワークアクセスを制御するために使用される複数の設備ID）を検索することを含むことができる。前記複数の識別子は、前記AT上の他の複数のデータファイルからの前記コンタクトリストから検索されることができる。代替的に、または追加的に、前記複数の識別子は、例えば、前記ネットワークオペレータの前記FAMまたは前記HLRのような1つまたは複数のネットワークエンティティから検索されることができる。
【００５６】
その後のステップ640は、前記コンタクトリストの前記情報に少なくとも部分的に基づいて前記AP基地局への制限されたアクセスを構成することを含むことができる。これによって、前記オペレータと関連する複数のセーブされたコンタクトが前記AP基地局にアクセスすることを許可する。ステップ640は、前記コンタクトリストおよび／または前記HLRまたは同様のものから検索される前記複数の識別子に少なくとも部分的に基づいて、許可されたユーザリストを生成することを具備することができる。ステップ640は、前記AP基地局へのアクセスを制御するために前記許可されたユーザリストを利用することをさらに具備することができる。
【００５７】
例えば、ステップ640は、ビジターデバイスが、前記AP基地局のカバレッジエリアにエンターすることに応答して、前記ビジターデバイスのビジター識別子が、前記許可されたユーザリストの少なくとも1つのエントリーに一致するかどうかを決定することを具備することができる。前記ビジター識別子が、前記許可されたユーザリストの前記少なくとも1つのエントリーに一致することに応答して、前記ビジターデバイスは、前記AP基地局にアクセスすることが許可されることができる。前記ビジター識別子が、前記許可されたユーザリストのいずれのエントリーにも一致しない場合、前記ビジターデバイスは、前記AP基地局へのアクセスを拒否され得る。
【００５８】
関連する複数の態様において、方法600は、例えば、前記基地局からAP基地局IDを収集することによるおよび／または前記AP基地局と有効な通信状態にあるまたはそうでなければ前記AP基地局と関連するATからの前記基地局と関連するパスワードを受信することによるといったように前記AP基地局の所有権を確認することをさらに具備することができる。
【００５９】
さらなる関連する複数の態様において、方法600は、前記ATから（前記コンタクトリストの代わりにまたは前記コンタクトリストに加えて）コーリング履歴を検索することまたは受信することを具備することができ、および前記受信されたコーリング履歴における複数の識別子（例えば、複数の電話番号）に少なくとも部分的に基づいて前記許可されたユーザリストを生成することをさらに具備することができる。さらなる関連する複数の態様において、ステップ640は、前記許可されたユーザリストを前記FAMへ送信することを具備することができる。これは、次に、前記AP基地局へのアクセスを制御するために、前記許可されたユーザリストを使用する。代替的に、または追加的に、方法600の1つまたは複数のステップ、またはこれらのものの一部は、前記ネットワークオペレータの他の複数のネットワークエンティティによって実行されることができる。
【００６０】
図7において図示されるフローチャートを参照して、AP基地局と関連するATからデータファイルを受信することを具備する方法700が提供される（ステップ710）。前記データファイルは、コンタクトリスト、コール履歴、または同様のもの、またはこれらのものの組み合わせを具備することができる。選択的なステップ720は、前記データファイルにおける複数のデータエントリーのうちのいずれかが所与のセルラーネットワークオペレータと関連されているまたは当該オペレータに対応するかどうかを決定することを含むことができる。前記所与のオペレータと関連されている前記データファイルにおける前記所与のデータエントリーに応答して、許可されたユーザリストは、前記所与のデータエントリーに少なくとも部分的に基づいて生成される（ステップ730）。ステップ730は、前記所与のデータエントリーのための識別子を前記データファイルからまたは他の複数のファイルもしくは前記ATの複数のメモリから検索することを具備することができる。代替的に、または追加的に、ステップ730は、前記ネットワークのレジストリ（例えば、HLRまたは同様のもの）から前記所与のデータエントリーのための前記識別子を検索することを具備することができる。次に、前記許可されたユーザリストは、前記AP基地局へのアクセスを制限するために使用されることができる（ステップ740）。代替的に、または追加的に、前記許可されたユーザリストは、前記FAMまたは同様のものへ送信されることができる。これは、次に、複数のATが前記AP基地局によって前記ネットワークにアクセスすることができるものを制御するために前記許可されたユーザリストを使用することができる。
【００６１】
ここで説明された前記複数の実施形態の1つまたは複数の態様にしたがって、AP基地局の制限されたアクセス構成のための複数のデバイスおよび複数の装置が提供される。図8を参照して、AP基地局の制限されたアクセス構成のための例示的な装置が提供される。装置800は、通信端末またはデバイスのいずれかとして構成されることができるか、または通信端末、デバイスもしくはAP内での使用のためにプロセッサまたは同様のデバイスとして構成されることができる。
【００６２】
例示されているように、前記装置800は、ATからコンタクトリストを受信するための手段810を含む。装置800はまた、ネットワークオペレータと関連する複数のセーブされたコンタクトを識別するための選択的な手段820を含むことができる。装置800は、前記ネットワークオペレータと関連する複数のセーブされたコンタクトのための複数の識別子を検索するための選択的な手段830をさらに含むことができる。装置800はまた、前記コンタクトリストにおける情報に少なくとも部分的に基づいて前記AP基地局への制限されたアクセスを構成するための手段840を含むことができる。
【００６３】
さらに、前記装置800は、装置800がプロセッサとしてよりもむしろ通信端末として構成される場合にプロセッサ850を選択的に含むことができる。そのような場合、プロセッサ850は、バス802または同様の通信結合によって前記手段810、820、830、840と有効な通信状態にあってもよい。プロセッサ850は、前記手段810、820、830、840によって実行される前記複数のプロセスまたは複数の機能の開始およびスケジューリングを生じさせることができる。
【００６４】
さらに、前記装置800は、バス802または同様のものによって前記装置800の前記他の複数のコンポーネントに動作可能なように結合させられることができる選択的なコンピュータ可読媒体またはメモリデバイス860を含むことができる。前記コンピュータ可読媒体またはメモリデバイス860は、前記手段810、820、830、840またはプロセッサ850（端末として構成される装置800の場合において）またはここにおいて開示される前記複数の方法のいずれかの前記複数のプロセスおよび動作を生じさせるための複数のコンピュータ可読媒体命令およびデータを記憶するように適合されていてもよい。
【００６５】
図9Aを参照して、AP基地局の制限されたアクセス構成のための他の例示的な装置が提供される。装置900は、通信端末またはデバイスのいずれかとして、または通信端末、デバイス、もしくはAP内での使用のためのプロセッサまたは同様のデバイスとして構成されていてもよい。例示されているように、前記装置900は、データファイルをATから受信または検索するための手段910を含む。装置900はまた、前記データファイルにおけるデータエントリーがネットワークオペレータと関連されているかどうかを決定するための選択的な手段920を含むことができる。装置900は、前記ATからの前記データファイルに少なくとも部分的に基づいて、許可されたユーザリストを生成するための手段930をさらに含むことができる。装置900はまた、前記AP基地局へのアクセスを制限するために前記許可されたユーザリストを利用するための手段940を含むことができる。
【００６６】
図9Bにおいて図示されているように、前記手段940を利用することは、ビジターATが前記AP基地局のカバレッジエリアにエンターすることに応答して、前記ビジターATのビジター識別子が、前記許可されたユーザリストの少なくとも1つのエントリーに一致するかどうかを決定するための手段942を具備することができる。前記手段940を利用することは、前記ビジター識別子が、前記許可されたユーザリストのうちの前記少なくとも1つのエントリーに一致することに応答して、前記ビジターATが前記AP基地局にアクセスすることを許可するための手段944をさらに具備することができる。
【００６７】
さらに、前記装置900は、装置900がプロセッサとしてよりもむしろ通信端末として構成される場合にプロセッサ950を選択的に含むことができる。そのような場合、プロセッサ950は、バス902または同様の通信結合によって前記手段910、920、930、940、942、944と有効な通信状態にあってもよい。プロセッサ950は、前記手段910、920、930、940、942、944によって実行される前記複数のプロセスまたは複数の機能の開始およびスケジューリングを生じさせることができる。
【００６８】
さらに、前記装置900は、バス902または同様のものによって前記装置900の前記他の複数のコンポーネントに動作可能なように結合させられることができる選択的なコンピュータ可読媒体またはメモリデバイス960を含むことができる。前記コンピュータ可読媒体またはメモリデバイス960は、前記手段910、920、930、940、942、944またはプロセッサ950(端末として構成されている装置900の場合において)またはここにおいて開示される前記複数の方法のいずれかの前記複数のプロセスおよび動作を生じさせるための複数のコンピュータ可読命令およびデータを記憶することに適合されていてもよい。
【００６９】
本件出願は、本件発明の特定の複数の事例を説明するが、当業者は、本件発明の概念から逸脱することなく本件発明の複数のバリエーションを考案することができる。例えば、ここでの複数の教示は、複数の回路切換ネットワークエレメントを指すが、複数のパケット切換ドメイン・ネットワークエレメントにも同様に適用可能である。本件出願において、「例示的(exemplary)」という語は、「例(example)、実例(instance)または例証(illustration)として役に立つこと」を意味するために使用されることが注目される。本件出願において、「例示的(exemplary)」として説明されるいかなる実施形態も、他の複数の実施形態に比べて必ずしも好ましいまたは有利であると解釈されるべきではない。
【００７０】
本件出願において説明された1つまたは複数の態様にしたがって、説明されたように複数の周辺のフェムトセルおよび／またはマクロセルのための複数の通信パラメータを決定することに関して複数の推論がなされてもよい。本件出願において使用されているように、「推論する」または「推論」という語は、複数のイベントおよび／またはデータによって獲得されるような1セットの観察から、前記システム、環境、および／またはユーザの状態について推理するまたは推論するためのプロセスを一般にいう。推論は、例えば、特定の文脈または行動を識別するために採用されることができ、または状態に関する確率分布を生成することができる。前記推論は、蓋然論、すなわち、データおよび複数のイベントの考察に基づく関心の状態に関する確率分布の計算であってもよい。推論はまた、1セットのイベントおよび／またはデータからより高いレベルのイベントを構成するために採用される技術と呼ばれてもよい。そのような推論の結果、たとえイベントが時間的に接近して互いに関連づけられていようとなかろうと、またイベントおよびデータが単一のイベントおよびデータの発生源に由来するものか、それとも複数の発生源に由来するものかということに関係なく、1セットの観察されたイベントおよび／または蓄積されているイベントデータから、新しいイベントまたは行動が構築されるのである。
【００７１】
本件出願において使用されているように、「コンポーネント」、「モジュール」、「システム」、および同様の語は、コンピュータ関連のエンティティー（ハードウェア、ファームウェア、ハードウェアとソフトウェアの組み合わせ、ソフトウェア、または実行中のソフトウェアのいずれか）を指すよう意図されている。例えば、コンポーネントは、プロセッサ上で実行中のプロセス、プロセッサ、オブジェクト、実行可能ファイル、実行スレッド、プログラム、および／またはコンピュータであってもよい。しかし、これらに限るものではない。例えば、計算デバイス上で実行中のアプリケーションおよび計算デバイスの両方は、コンポーネントであってもよい。1つまたは複数のコンポーネントは、プロセスおよび/または実行スレッドの中に在ることができる。また、コンポーネントは、1つのコンピュータに局所化されたもの、および／または２つまたはそれ以上のコンピュータ間で分散されたものであることができる。加えて、これらの複数のコンポーネントは、各種データ構造を内蔵するさまざまなコンピュータ可読媒体から実行することができる。これらのコンポーネントは、1つまたは複数のデータパケット(例えば、ローカルシステム、分散システム、および／または信号を用いて他のシステムと通信するインターネットのようなネットワーク上で他のコンポーネントと相互作用するコンポーネントからのデータ)を有する信号にしたがっているようなローカルプロセスおよび／または遠隔プロセスを用いて通信をすることができる。
【００７２】
本件出願において開示されたプロセスにおけるステップの特定の順番または階層は、例示的アプローチの一例であることが理解される。設計上の選好に基づいて、プロセスにおけるステップの固有の順番または階層は、本件開示の範囲内にとどまる限り、並び替えられてもよい。添付の方法クレームは、順番の事例における様々なステップのエレメントを表し、および表された固有の順番または階層に限られることを意味するものではない。
【００７３】
本件技術分野の技術者は、情報と信号が、様々な異なる技術および技法のうちのいずれかを使用して表されることができることを理解するだろう。例えば、上述の説明の全体を通じて参照されることができるデータ、命令、コマンド、情報、信号、ビット、シンボルおよびチップは、電圧、電流、電磁波、磁場または磁粒子、光波動場または光粒子、もしくはこれらのものの任意の組み合わせによって表わされることができる。
【００７４】
当該技術分野の技術者であれば、本件出願に開示されている事例に関連して説明されている様々な例示的な論理ブロック、モジュール、回路、方法、およびアルゴリズムは、電子的ハードウェア、コンピュータソフトウェアまたは両者の組み合わせとして実装可能であることをさらに認識するであろう。ハードウェアとソフトウェアの間のこの互換性を明白に例示するために、様々な例示的なコンポーネント、ブロック、モジュール、回路、方法およびアルゴリズムは、上記においてその機能性の観点から一般的に記述されてきた。そのような機能性がハードウェアとして実装されるか、またはソフトウェアとして実装されるかは、特定のアプリケーション、およびシステム全体に課される設計上の制約に依存する。当業者は、各々の特定のアプリケーションについて、説明されている機能性を異なる方法において実装することができる。しかし、そのような実装決定が本件発明の範囲からの逸脱を引き起こすものと解釈されてはならない。
【００７５】
さらに、本件出願において、様々な実施形態は、モバイルデバイスに関して説明される。モバイルデバイスはまた、システム、加入者ユニット、加入者局、モバイル局、モバイル、遠隔局、遠隔端末、アクセス端末（AT）、ユーザ端末、端末、ワイヤレス通信デバイス、ユーザ代理人、ユーザデバイス、またはユーザ設備（UE）と呼ばれてもよい。モバイルデバイスは、セルラー電話、コードレス電話、SIP（セッション・イニシエーション・プロトコル）電話、WLL（ワイヤレス・ローカル・ループ）局、PDA（携帯情報端末）、ワイヤレス接続能力のある携帯デバイス、計算デバイス、またはワイヤレス・モデムに接続される他の処理デバイスであってもよい。さらに、基地局に関するさまざまな実施形態が本件出願において説明される。基地局は、モバイルデバイス（複数）と通信するために利用されてもよく、アクセスポイント、ノードB、発展したノードB（eNode BまたはeNB）、基地送受信局（BTS）またはいくつかの他の用語で呼ばれてもよい。
【００７６】
さらに、本件出願において説明されるさまざまな態様または特徴は、標準的なプログラミングおよび/または工学的技術を使用して、方法、装置、または製造品として実装されることができる。本件出願において使用されているような「製造品」という語は、コンピュータ可読デバイス、搬送波、または媒体からアクセス可能なコンピュータプログラムを包含することが意図されている。例えば、コンピュータ可読媒体は、次のものに限られるわけではないが、磁気記憶デバイス（例えば、ハードディスク、フレキシブルディスク、磁気ストリップなど)、光ディスク(例えば、コンパクトディスク(CD)、デジタル・バーサタイル・ディスク（DVD）など)、スマートカード、およびフラッシュメモリーデバイス(例えば、EPROM（消去可能なプログラマブル読み出し専用メモリ）、カード、スティック、キードライブなど)を含むことができる。追加的に、本件出願において記述されるさまざまな記憶媒体は、情報を記憶するための1つまたは複数のデバイスおよび／またはその他の機械可読媒体を表わしてもよい。「機械可読媒体」という語は、次のものに限られるわけではないが、ワイヤレスチャネルおよびさまざまなその他のメディアであって、命令（複数）および／またはデータを記憶し、含み、および／または運ぶことができるものを含んでもよい。
【００７７】
本件出願において説明された技術は、CDMA(符号分割多元接続)、MC-CDMA(多元搬送波CDMA)、W-CDMA(広帯域CDMA)、HSPA、HSPA＋（高速パケット接続）、TDMA（時分割多元接続）、FDMA（周波数分割多元接続）、OFDMA（直交周波数分割多元接続）、SC-FDMA（単一搬送波周波数ドメイン多重化）および他の多元接続システム／技術のような様々なワイヤレス通信システムに使用されてもよい。「システム」および「ネットワーク」という用語は、本件出願において互換的に使用されてもよい。CDMAシステムは、UTRA(Universal Terrestrial Radio Access)、CDMA2000などのような無線技術を実装してもよい。UTRAは、W-CDMAおよび／またはCDMAの他の変形を含んでもよい。CDMA2000は、IS-2000、IS-95、およびIS-856標準をカバーする。TDMAシステムは、GSM(Global System for Mobile Communications)のような無線技術を実装することができる。OFDMAシステムは、E-UTRA （Evolved UTRA）、UMB(Ultra Mobile Broadband)、IEEE 802.11(Wi-Fi)、IEEE 802.16(WiMAX)、 IEEE 802.20、Flash-OFDMなどのような無線技術を実装することができる。UTRAおよびE-UTRAは、UMTS（Universal Mobile Telecommunication System）の一部である。3GPP LTE(Long Term Evolution)は、ダウンリンク上でOFDMAおよびアップリンク上でSC-FDMAを採用するE-UTRAを使用するUMTSの近刊のリリースである。UTRA、E-UTRA、UMTS、LTE、およびGSMは、3GPP（第３世代パートナーシップ・プロジェクト）という名の組織からの文献に記述されている。CDMA2000およびUMBは、3GPP2（第３世代パートナーシップ・プロジェクト2）という名の組織からの文献に記述されている。本件出願において説明されるワイヤレス通信システムは、例えば、IS-95、cdma2000、IS-856、W-CDMA、TD-SCDMAなどのような1つまたは複数の規格を実装することができることがさらに注目される。
【００７８】
本件出願において開示された事例に関係して記述された様々な例示的な論理ブロック、モジュール、および回路は、汎用目的プロセッサ、デジタル信号プロセッサ（DSP）、特定用途集積回路（ASIC）、フィールドプログラマブルゲートアレイ（FPGA）または他のプログラマブル論理デバイス、離散的ゲートまたはトランジスタ論理、離散的ハードウェアコンポーネント、またはこれらのものの任意の組み合わせであって、本件出願に記載の機能を実行するように設計されたものによって実装または実行されることができる。汎用目的プロセッサは、マイクロプロセッサであってもよいが、その代わりに、任意の従来のプロセッサ、コントローラ、マイクロコントローラ、または状態機械であってもよい。プロセッサはまた、コンピュータ計算デバイスの組み合わせ（例えば、DSPとマイクロプロセッサとの組み合わせ、複数のマイクロプロセッサ、DSPコアと結合した1つまたは複数のマイクロプロセッサ、または任意の他のそのような構成）として実装されることもできる。
【００７９】
本件出願において開示された事例に関係して記述された方法またはアルゴリズムは、ハードウェア、プロセッサによって実行されるソフトウェアモジュール、またはその2つの組み合わせにおいて直接具体化されることができる。ソフトウェアモジュールは、ランダムアクセスメモリ(RAM)、フラッシュ・メモリ、ROM（Read-Only Memory）、EPROM、EEPROM（Electrically Erasable Programmable ROM）、レジスタ、ハードディスク、リムーバブルディスク、CD-ROM、または当該技術分野において既知の任意の他の形式の記憶媒体の中に在ってもよい。記憶媒体は、プロセッサが記憶媒体から情報を読み出す、または記憶媒体に情報を書き込むことができるように、プロセッサに結合されていてもよい。その代わりに、記憶媒体がプロセッサと一体化されていてもよい。プロセッサおよび記憶媒体は、ASICの中に在ってもよい。
【００８０】
1つまたは複数の例示的な実施形態において、説明された機能は、ハードウェア、ソフトウェア、ファームウェアまたはこれらのものの任意の組み合わせの中で実装されてもよい。ソフトウェア実装の場合、当該機能は、１つまたは複数の命令またはコードとして、コンピュータ可読媒体上で記憶または伝送されることができる。コンピュータ可読媒体は、ある場所から別の場所へのコンピュータプログラムの伝送を容易にする任意の媒体を含むコンピュータ記憶媒体および通信媒体の両方を含む。記憶媒体は、コンピュータによってアクセスされることができる任意の利用可能な媒体であってもよい。実例として、かつ非制限的列挙として、そのようなコンピュータ可読媒体は、RAM、ROM、EEPROM、CD-ROMまたは他の光ディスク記憶、磁気ディスク記憶または他の磁気記憶デバイス、もしくは、任意の他の媒体であって、命令またはデータ構造の形式において所望のプログラムコード手段を伝達または記憶するために使用可能で、かつコンピュータによってアクセス可能な媒体を含むことができる。さらに、いずれの接続も、コンピュータ可読媒体と適切に名付けられる。例えば、もしソフトウェアがウェブサイト、サーバ、または他の遠くの情報源から、同軸ケーブル、光ファイバケーブル、ツイストペアケーブル、デジタル加入者線(DSL)またはワイヤレス技術（例えば、赤外線、無線およびマイクロ波など）を使用して送信されるのであれば、そうした同軸ケーブル、光ファイバケーブル、ツイストペアケーブル、DSLまたはワイヤレス技術（例えば、赤外線、無線およびマイクロ波など)もまた、媒体の定義に含まれる。本件出願において使用されるディスク（disk and disc）は、コンパクトディスク（CD）、デジタルバーサタイルディスク(DVD)、フレキシブルディスクおよびブルーレイ(登録商標)ディスクを含む。ここで、diskは、通常、データを磁気的に再生するものをいい、discは、レーザを用いてデータを光学的に再生するものをいう。上記のものの組合せもコンピュータ可読媒体の範囲内に含まれるべきである。
【００８１】
開示されている事例の前述の説明は、どのような当業者も、本件開示の発明を製造しまたは使用することができるよう提供されている。これらの事例に対する様々な修正は、当業者にとって直ちに明白であろう。また、本件出願において定義された一般原則は、本件発明の要旨または範囲から逸脱することなく、他の事例に対して適用可能である。したがって、本件開示は、本件出願において示されている事例に限定されるよう意図されているものではなく、本件出願に開示された原則および新規な特徴と一致する最も広い範囲が与えられるべきものである。
以下に、本願出願の当初の特許請求の範囲に記載された発明を付記する。
［Ｃ１］
アクセスポイント（AP）基地局の制限されたアクセス構成のための方法であって、
前記AP基地局と関連するアクセス端末（AT）からのコンタクトリストを検索することと、ここにおいて、前記コンタクトリストは、ATユーザの複数のセーブされたコンタクトに関する情報を具備する、および
前記コンタクトリストの前記情報に少なくとも部分的に基づいて前記AP基地局への制限されたアクセスを構成することと
を具備する方法。
［Ｃ２］
前記AP基地局の所有権を確認することをさらに具備するＣ1に記載の方法。
［Ｃ３］
所有権を確認することは、前記AP基地局と関連するパスワードを受信することを具備する、Ｃ2に記載の方法。
［Ｃ４］
前記AP基地局は、ネットワークオペレータと関連されている、Ｃ1に記載の方法。
［Ｃ５］
前記複数のセーブされたコンタクトのうちのいずれかは、ネットワークオペレータと関連されているかどうかを決定することをさらに具備する、Ｃ1に記載の方法。
［Ｃ６］
前記決定するステップは、前記オペレータと関連するそれらの複数のセーブされたコンタクトのための少なくとも1つの識別子を検索することを具備する、Ｃ5に記載の方法。
［Ｃ７］
前記少なくとも1つの識別子を検索することは、前記コンタクトリストから前記少なくとも1つの識別子を検索することを具備する、Ｃ6に記載の方法。
［Ｃ８］
前記少なくとも1つの識別子を検索することは、前記オペレータのレジストリから前記少なくとも1つの識別子を検索することを具備する、Ｃ6に記載の方法。
［Ｃ９］
前記レジストリから前記少なくとも1つの識別子を検索することは、前記オペレータのホームロケーションレジスタ（HLR）にアクセスすることを具備する、Ｃ8に記載の方法。
［Ｃ１０］
前記少なくとも1つの識別子に少なくとも部分的に基づいて許可されたユーザリストを生成することをさらに具備するＣ6に記載の方法。
［Ｃ１１］
前記制限されたアクセスを構成するために前記許可されたユーザリストを利用することをさらに具備するＣ10に記載の方法。
［Ｃ１２］
ビジターATが前記AP基地局のカバレッジエリアにエンターすることに応答して、前記ビジターATのビジター識別子は、前記許可されたユーザリストの少なくとも1つのエントリーに一致するかどうかを決定することをさらに具備するＣ11に記載の方法。
［Ｃ１３］
前記ビジター識別子が前記許可されたユーザリストの前記少なくとも1つのエントリーに一致することに応答して、前記ビジターATは、前記AP基地局にアクセスするのを許可することをさらに具備するＣ12に記載の方法。
［Ｃ１４］
アクセスポイント（AP）基地局の制限されたアクセス構成のためのワイヤレス通信デバイスであって、
コンタクトリストを前記AP基地局と関連するアクセス端末（AT）から受信するのに適合されている受信機であって、前記コンタクトリストは、ATユーザの複数のセーブされたコンタクトに関する情報を具備する、受信機と、
前記受信機と有効な通信状態にある少なくとも1つのプロセッサと、および
前記少なくとも1つのプロセッサと有効な通信状態にあり、前記少なくとも1つのプロセッサが、前記コンタクトリストの前記情報に少なくとも部分的に基づいて前記AP基地局への制限されたアクセスを構成するための実行可能なコードを具備するメモリと
を具備するデバイス。
［Ｃ１５］
前記少なくとも1つのプロセッサは、前記AP基地局の所有権を確認する、Ｃ14に記載のデバイス。
［Ｃ１６］
前記少なくとも1つのプロセッサは、前記AP基地局と関連するパスワードを受信するのに適合されている、Ｃ15に記載のデバイス。
［Ｃ１７］
前記AP基地局は、ネットワークオペレータと関連されている、Ｃ14に記載のデバイス。
［Ｃ１８］
前記少なくとも1つのプロセッサは、前記複数のセーブされたコンタクトのいずれかがネットワークオペレータと関連されているかどうかを決定するのに適合されている、Ｃ14に記載のデバイス。
［Ｃ１９］
前記少なくとも1つのプロセッサは、前記オペレータと関連するそれらの複数のセーブされたコンタクトのための少なくとも1つの識別子を検索するのに適合されている、Ｃ18に記載のデバイス。
［Ｃ２０］
前記少なくとも1つのプロセッサは、前記少なくとも1つの識別子を含む許可されたユーザリストを生成するのに適合されている、Ｃ19に記載のデバイス。
［Ｃ２１］
前記少なくとも1つのプロセッサは、前記AP基地局へのアクセスを制限するために前記許可されたユーザリストを利用するのに適合されている、Ｃ20に記載のデバイス。
［Ｃ２２］
前記少なくとも1つのプロセッサ（942）は、ビジターATが前記AP基地局のカバレッジエリアにエンターすることに応答して、前記ビジターATのビジター識別子が前記許可されたユーザリストの少なくとも1つのエントリーに一致するかどうかを決定するのに適合されている、Ｃ21に記載のデバイス。
［Ｃ２３］
前記少なくとも1つのプロセッサ（944）は、前記ビジター識別子が前記許可されたユーザリストの前記少なくとも1つのエントリーに一致することに応答して、前記ビジターATが前記AP基地局にアクセスすることを許可するのに適合されている、Ｃ22に記載のデバイス。
［Ｃ２４］
アクセスポイント（AP）基地局の制限されたアクセス構成のためのワイヤレス通信装置であって、
コンタクトリストを前記AP基地局と関連するアクセス端末（AT）から検索するための手段であって、前記コンタクトリストは、ATユーザのセーブされた複数のコンタクトに関する情報を具備する、手段と、および
前記コンタクトリストの前記情報に少なくとも部分的に基づいて前記AP基地局への制限されたアクセスを構成するための手段と
を具備する装置。
［Ｃ２５］
前記AP基地局の所有権を確認するための手段をさらに具備するＣ24に記載の装置。
［Ｃ２６］
確認するための前記手段は、前記AP基地局と関連するパスワードを受信するのに適合されている、Ｃ25に記載の装置。
［Ｃ２７］
前記AP基地局は、ネットワークオペレータと関連されている、Ｃ24に記載の装置。
［Ｃ２８］
前記複数のセーブされたコンタクトのうちのいずれかがネットワークオペレータと関連されているかどうかを決定するための手段をさらに具備するＣ24に記載の装置。
［Ｃ２９］
前記オペレータと関連するそれらの複数のセーブされたコンタクトのための少なくとも1つの識別子を検索するための手段をさらに具備するＣ28に記載の装置。
［Ｃ３０］
前記少なくとも1つの識別子を含む許可されたユーザリストを生成するための手段をさらに具備するＣ29に記載の装置。
［Ｃ３１］
アクセスポイント（AP）基地局の制限されたアクセス構成のための方法であって、
コーリング履歴を前記AP基地局と関連するアクセス端末（AT）から検索することと、ここにおいて、前記コーリング履歴は、ATユーザによってコールされるまたは受信される複数のセーブされた電話番号のリストを具備する、および
前記コーリング履歴に少なくとも部分的に基づいて前記AP基地局の制限されたアクセスを構成することと
を具備する方法。
［Ｃ３２］
前記AP基地局の所有権を確認することをさらに具備するＣ31に記載の方法。
［Ｃ３３］
所有権を確認することは、前記AP基地局と関連するパスワードを受信することを具備する、Ｃ32に記載の方法。
［Ｃ３４］
前記AP基地局は、ネットワークオペレータと関連されている、Ｃ31に記載の方法。
［Ｃ３５］
前記複数のセーブされた電話番号のうちのいずれかがネットワークオペレータと関連されているかどうかを決定することをさらに具備するＣ31に記載の方法。
［Ｃ３６］
前記決定するステップは、前記オペレータと関連するそれらの複数のセーブされた電話番号のための少なくとも1つの識別子を検索することを具備する、Ｃ35に記載の方法。
［Ｃ３７］
前記少なくとも1つの識別子を検索することは、前記コーリング履歴から前記少なくとも1つの識別子を検索することを具備する、Ｃ36に記載の方法。
［Ｃ３８］
前記少なくとも1つの識別子は、前記オペレータのレジストリから前記少なくとも1つの識別子を検索することを具備する、Ｃ36に記載の方法。
［Ｃ３９］
前記少なくとも1つの識別子を前記レジストリから検索することは、前記オペレータのホームロケーションレジスタ（HLR）にアクセスすることを具備する、Ｃ38に記載の方法。
［Ｃ４０］
前記少なくとも1つの検索された識別子に少なくとも部分的に基づいて許可されたユーザリストを生成することをさらに具備するＣ36に記載の方法。
［Ｃ４１］
前記制限されたアクセスを構成するために前記許可されたユーザリストを利用することをさらに具備するＣ40に記載の方法。
［Ｃ４２］
ビジターATが前記AP基地局のカバレッジエリアにエンターすることに応答して、前記ビジターATのビジター識別子は、前記許可されたユーザリストの少なくとも1つのエントリーに一致するかどうかを決定することをさらに具備する、Ｃ40に記載の方法。
［Ｃ４３］
前記ビジター識別子が前記許可されたユーザリストの前記少なくとも1つのエントリーに一致することに応答して、前記ビジターATが前記AP基地局にアクセスするのを許可することをさらに具備するＣ42に記載の方法。
［Ｃ４４］
アクセスポイント（AP）基地局の制限されたアクセス構成のためのワイヤレス通信デバイスであって、
コーリング履歴を前記AP基地局と関連するアクセス端末（AT）から受信するのに適合する受信機であって、前記コーリング履歴は、ATユーザによってコールされるまたは受信される複数のセーブされた電話番号のリストを具備する、受信機と、
前記受信機と有効な通信状態にある少なくとも1つのプロセッサと、および
前記少なくとも1つのプロセッサと有効な通信状態にあり、前記少なくとも1つのプロセッサが、前記コーリング履歴に少なくとも部分的に基づいて前記AP基地局への制限されたアクセスを構成するための実行可能なコードを具備するメモリと
を具備するデバイス。
［Ｃ４５］
前記少なくとも1つのプロセッサは、前記AP基地局の所有権を確認する、Ｃ44に記載のデバイス。
［Ｃ４６］
前記少なくとも1つのプロセッサは、前記AP基地局と関連するパスワードを受信するのに適合されている、Ｃ45に記載のデバイス。
［Ｃ４７］
前記AP基地局は、ネットワークオペレータと関連されている、Ｃ44に記載のデバイス。
［Ｃ４８］
前記少なくとも1つのプロセッサは、前記複数のセーブされた電話番号のいずれかがネットワークオペレータと関連されているかどうかを決定するのに適合されている、Ｃ44に記載のデバイス。
［Ｃ４９］
前記少なくとも1つのプロセッサは、前記オペレータと関連するそれらの複数のセーブされた電話番号のための少なくとも1つの識別子を検索するのに適合されている、Ｃ48に記載のデバイス。
［Ｃ５０］
前記少なくとも1つのプロセッサは、前記少なくとも1つの識別子を含む許可されたユーザリストを生成する、Ｃ49に記載のデバイス。
［Ｃ５１］
アクセスポイント（AP）基地局の制限されたアクセス構成のためのワイヤレス通信装置であって、
コーリング履歴を前記AP基地局と関連するアクセス端末（AT）から検索するための手段であって、前記コーリング履歴は、ATユーザによってコールされるまたは受信される複数の電話番号のリストを具備する、手段と、および
前記コーリング履歴に少なくとも部分的に基づいて前記AP基地局への制限されたアクセスを構成するための手段と
を具備する装置。
［Ｃ５２］
前記AP基地局の所有権を確認するための手段をさらに具備するＣ51に記載の装置。
［Ｃ５３］
確認するための前記手段は、前記AP基地局と関連するパスワードを受信するのに適合されている、Ｃ52に記載の装置。
［Ｃ５４］
前記AP基地局は、ネットワークオペレータと関連されている、Ｃ51に記載の装置。
［Ｃ５５］
前記複数のセーブされた電話番号のうちのいずれかがネットワークオペレータと関連されているかどうかを決定するための手段をさらに具備するＣ51に記載の装置。
［Ｃ５６］
前記オペレータと関連するそれらの複数のセーブされた電話番号のための少なくとも1つの識別子を検索するための手段をさらに具備するＣ55に記載の装置。
［Ｃ５７］
前記少なくとも1つの識別子を含む許可されたユーザリストを生成するための手段をさらに具備するＣ56に記載の装置。
［Ｃ５８］
コンピュータ可読媒体を具備するコンピュータプログラム・プロダクトであって、
ネットワークオペレータのアクセスポイント（AP）基地局と関連するアクセス端末（AT）からデータファイルをコンピュータに検索させるためのコードと、および
前記データファイルに少なくとも部分的に基づいて前記AP基地局への制限されたアクセスをコンピュータに構成させるためのコードと
を具備するコンピュータプログラム・プロダクト。
［Ｃ５９］
前記データファイルは、前記ATからのコンタクトリストを具備し、前記コンタクトリストは、ATユーザの複数のセーブされたコンタクトに関する情報を具備する、Ｃ58に記載のコンピュータプログラム・プロダクト。
［Ｃ６０］
前記データファイルは、前記ATからのコーリング履歴を具備し、前記コーリング履歴は、ATユーザによってコールされるまたは受信される複数の電話番号のリストを具備する、Ｃ58に記載のコンピュータプログラム・プロダクト。
【図１】
0005502869.tif 000002
【図２】
0005502869.tif 000003
【図３】
0005502869.tif 000004
【図４】
0005502869.tif 000005
【図５】
0005502869.tif 000006
【図６】
0005502869.tif 000007
【図７】
0005502869.tif 000008
【図８】
0005502869.tif 000009
【図９Ａ】
0005502869.tif 000010
【図９Ｂ】
0005502869.tif 000011